(57)【特許請求の範囲】
【請求項１】
複数のスイッチが配設された基板と、該基板上に配備されて前記スイッチを押圧するための複数のキートップとを具え、前記基板には、前記キートップの背部を照明する少なくとも１つの発光素子が搭載されている電子機器において、
前記基板と複数のキートップとの間には、光透過性シートが前記複数のスイッチと発光素子とを覆って配備され、該光透過性シートのキートップ側の表面には、前記発光素子を覆う領域に、該発光素子からの一部の光を反射し、残りの光を透過する光反射層が形成されていることを特徴とする電子機器。
【請求項２】
前記基板の表面には、前記発光素子の搭載領域とは異なる領域に、前記キートップ側から入射する光を反射する第２の光反射層が形成されている請求項１に記載の電子機器。
【請求項３】
前記光透過性シートの縁部には１又は複数のスリットが形成されている請求項１又は請求項２に記載の電子機器。
【請求項４】
前記基板の複数箇所に前記発光素子が搭載されると共に、該発光素子は一列に配列されており、前記スリットは、前記発光素子の配列方向に略垂直な方向に延びている請求項３に記載の電子機器。
【請求項５】
複数のスイッチが配設された基板と、該基板上に配備されて前記スイッチを押圧するための複数のキートップとを具え、前記基板には、前記キートップの背部を照明する発光素子が搭載されている電子機器において、
前記基板と複数のキートップとの間には、光透過性シートが前記複数のスイッチと発光素子とを覆って配備され、該光透過性シートの縁部には、背部側から入射し、前記透光性シート内を通過した光を拡散する１又は複数のスリットが形成されており、
前記基板の複数箇所に前記発光素子が搭載されると共に、該発光素子は一列に配列されており、前記スリットは、前記発光素子の配列方向に略垂直な方向に延びていることを特徴とする電子機器。
【発明の詳細な説明】
【技術分野】
【０００１】
本発明は、キートップの背部を照射することが可能な電子機器に関する。
【背景技術】
【０００２】
この種の電子機器として携帯電話機が普及している。該携帯電話機は、複数のドームスイッチが配設された基板と、該ドームスイッチを押圧するための複数のキートップとを具え、基板には、キートップの背部を照明する発光素子、例えばＬＥＤ（Light  Emitting  Diode）が搭載されている（例えば、特許文献１）。
【０００３】
従来、複数のキートップの背部全体を発光素子からの光によって照明するべく、上記携帯電話機において、複数のドームスイッチを導光シートによって覆うと共に、発光素子を、その光が導光シートの側端面から入射する様に配備することが提案されている（例えば、特許文献２）。この携帯電話機においては、発光素子からの光が、導光シートの内部を通過して複数のキートップの背部に導かれ、該背部全体が照明されることになる。
【先行技術文献】
【特許文献】
【０００４】
【特許文献１】特開２０００−１７３３８０号公報
【特許文献２】特開２００８−２２６５７６号公報
【発明の概要】
【発明が解決しようとする課題】
【０００５】
しかしながら、上記携帯電話機においては、発光素子を導光シートの側端面側に配備する必要があるため、発光素子を搭載する領域の分だけ基板の面積が増大して、携帯電話機が大型化する問題があった。
【０００６】
そこで本発明の目的は、複数のキートップの背部全体を照明することが可能であって、且つ、小型化が可能な電子機器を提供することである。
【課題を解決するための手段】
【０００７】
本発明に係る第１の電子機器は、複数のスイッチが配設された基板と、該基板上に配備されて前記スイッチを押圧するための複数のキートップとを具え、前記基板には、前記キートップの背部を照明する少なくとも１つの発光素子が搭載されている。ここで、前記基板と複数のキートップとの間には、光透過性シートが前記複数のスイッチと発光素子とを覆って配備され、該光透過性シートのキートップ側の表面には、前記発光素子を覆う領域に、該発光素子からの光を反射する光反射層が形成されている。
【０００８】
上記第１の電子機器においては、発光素子から発せられた光は、光透過性シートを通過した後、その一部が光反射層により反射され、残りの光が光反射層又はその周囲を通過することになる。ここで、反射された光の一部は、光透過性シート内を通過して該光透過性シートの縁部まで伝播し、該光透過性シートの側端面にて拡散される。
【０００９】
従って、光反射層又はその光反射層の周囲を通過した光により、発光素子の近傍位置に配置されているキートップの背部が照明され、光透過性シートの側端面にて拡散された光により、光透過性シートの側端面近傍に配置されているキートップの背部が照明されることになる。よって、複数のキートップの背部全体が、発光素子により照明されることになる。
【００１０】
又、上記第１の電子機器においては、発光素子を覆って光透過性シートを配備することが出来るので、基板の表面の様々な位置に発光素子を搭載することが可能である。よって、導光シートを具えていて発光素子の位置が導光シートの側端面側に限定される従来の電子機器に比べて、本発明に係る第１の電子機器は、基板の面積を小さくして電子機器を小型化することが可能である。
【００１１】
上記第１の電子機器の具体的構成において、前記基板の表面には、前記発光素子の搭載領域とは異なる領域に、前記キートップ側から入射する光を反射する第２の光反射層が形成されている。
該具体的構成によれば、基板の表面の内、発光素子の搭載領域とは異なる領域に第２の光反射層が形成されているので、発光素子から発せられた光は、第２の光反射層によって遮断させることがない。又、光透過性シートに形成されている光反射層によって反射された光の内、光透過性シート内を伝播せずに光透過性シートから漏れた光は、第２の光反射層により反射されてキートップの背部に導かれることになる。よって、発光素子による照明効率が向上することになる。
【００１２】
上記第１の電子機器の他の具体的構成において、前記光透過性シートの縁部には１又は複数のスリットが形成されている。
該具体的構成によれば、光透過性シートの縁部にスリットを形成することにより、光透過性シートの側端面の面積が、スリットを構成する内面の分だけ増大することになる。このため、光透過性シート内を通過して該光透過性シートの縁部に導かれた光は、光透過性シートの側端面にて拡散され易く、従ってキートップの背部に導かれ易くなる。よって、発光素子による照明効率が向上することになる。
【００１３】
本発明に係る第２の電子機器は、複数のスイッチが配設された基板と、該基板上に配備されて前記スイッチを押圧するための複数のキートップとを具え、前記基板には、前記キートップの背部を照明する少なくとも１つの発光素子が搭載されている。ここで、前記基板と複数のキートップとの間には、光透過性シートが前記複数のスイッチと発光素子とを覆って配備され、該光透過性シートの縁部には１又は複数のスリットが形成されている。
【００１４】
上記第２の電子機器においては、発光素子から発せられた光は、その一部が光透過性シートを通過し、残りの光は、その一部が光透過性シート内を通過して該光透過性シートの縁部まで伝播し、該光透過性シートの側端面にて拡散される。ここで、光透過性シートの縁部にはスリットが形成されているので、光透過性シートの側端面の面積は、スリットを構成する内面の分だけ増大している。このため、光透過性シート内を通過して該光透過性シートの縁部に導かれた光は、光透過性シートの側端面にて拡散され易い。
【００１５】
従って、光透過性シートを通過した光により、発光素子の近傍位置に配置されているキートップの背部が照明され、光透過性シートの側端面にて拡散された光により、光透過性シートの側端面近傍に配置されているキートップの背部が照明されることになる。よって、複数のキートップの背部全体が、発光素子により照明されることになる。
【００１６】
又、上記第２の電子機器においては、発光素子を覆って光透過性シートを配備することが出来るので、基板の表面の様々な位置に発光素子を搭載することが可能である。よって、導光シートを具えていて発光素子の位置が導光シートの側端面側に限定される従来の電子機器に比べて、本発明に係る第２の電子機器は、基板の面積を小さくして電子機器を小型化することが可能である。
【００１７】
上記第１及び第２の電子機器のより具体的な構成において、前記基板の複数箇所に前記発光素子が搭載されると共に、該発光素子は一列に配列されており、前記スリットは、前記発光素子の配列方向に略垂直な方向に延びている。
【発明の効果】
【００１８】
本発明に係る電子機器は、複数のキートップの背部全体を照明することが可能であって、且つ、小型化が可能である。
【図面の簡単な説明】
【００１９】
【図１】図１は、本発明の一実施形態に係るスライド式携帯電話機を示す分解斜視図である。
【図２】図２は、上記スライド式携帯電話機の閉じ状態を示す斜視図である。
【図３】図３は、上記スライド式携帯電話機の開き状態を示す斜視図である。
【図４】図４は、上記スライド式携帯電話機の内、その操作部を含む要部を示す分解斜視図である。
【図５】図５は、該操作部のラバーシートの裏面を示す斜視図である。
【図６】図６は、上記スライド式携帯電話機が具えるドームスイッチ及びＬＥＤの配列状態を示す、下段のキャビネットの前面図である。
【図７】図７は、上記スライド式携帯電話機が具える第２ＰＥＴシートの取付け状態を示す、下段のキャビネットの前面図である。
【図８】図８は、第２ＰＥＴシートによって覆われた基板の前面図である。
【図９】図９は、図８に示されるＡ−Ａ線に沿う断面図である。
【発明を実施するための形態】
【００２０】
以下、本発明をスライド式携帯電話機に実施した形態につき、図面に沿って具体的に説明する。
図１に示す様に、本発明の一実施形態に係るスライド式携帯電話機は、２つのキャビネット(１)(２)を具えて、下段に第１キャビネット(１)、上段に第２キャビネット(２)がそれぞれ配備されている。第１キャビネット(１)の表面には操作部(４)が設けられ、第２キャビネット(２)の表面には液晶ディスプレイ(20)が設けられている。
【００２１】
両キャビネット(１)(２)は、スライド機構(３)によって互いにスライド可能に連結されている。該スライド機構(３)は、ガイド部(31)とスライド部(32)とから構成されている。ガイド部(31)は、第１キャビネット(１)の表面の内、操作部(４)の配設領域とは異なる領域に固定され、スライド部(32)は、第２キャビネット(２)の裏面に固定されている。
【００２２】
ガイド部(31)の左右両端部には、第１キャビネット(１)の長手方向に延びた一対のガイド溝(311)(311)が形成されており、該一対のガイド溝(311)(311)にはそれぞれ、スライド部(32)の左右両端部(321)(321)が摺動自在に係合している。これにより、スライド部(32)の移動方向が第１キャビネット(１)の長手方向に規定されている。
【００２３】
従って、２つのキャビネット(１)(２)をスライドさせることにより、上記スライド式携帯電話機は、図２に示す様に両キャビネット(１)(２)が閉じて操作部(４)が第２キャビネット(２)によって覆われた閉じ状態と、図３に示す様に両キャビネット(１)(２)が開いて操作部(４)が露出した開き状態の２つの状態に、選択的に設定されることになる。
【００２４】
図４に示す様に、操作部(４)は、第１ＰＥＴ（ポリエチレンテレフタレート）シート(43)の表面に形成されるシートキー(41)と、両面接着テープ(45)によって第１ＰＥＴシート(43)の裏面に貼着固定されるラバーシート(46)と、基板(５)の表面に配設された複数のドームスイッチ(51)〜(51)とを具えている。
【００２５】
シートキー(41)の第１ＰＥＴシート(43)とは反対側の表面には、複数のキートップ(44)〜(44)が形成されている。具体的には、シートキー(41)の表面には１５個のキートップ(44)〜(44)が形成されており、該１５個のキートップ(44)〜(44)は、５個ずつが第１キャビネット(１)の長手方向に一列に並べられて、５行×３列に配列されている。
【００２６】
第１ＰＥＴシート(43)の裏面には、複数のキートップ(44)〜(44)と対向する位置にそれぞれ、各キートップ(44)に対応する数字や文字等の標記が印刷されている。ここで、シートキー(41)は、高い光透過性を有する樹脂から形成され、第１ＰＥＴシート(43)は高い光透過性を有するＰＥＴ材から形成されている。従って、シートキー(41)の表面側から該シートキー(41)を介して、第１ＰＥＴシート(43)の裏面に印刷されている標記を視認することが可能となっている。
【００２７】
複数のドームスイッチ(51)〜(51)はそれぞれ、複数のキートップ(44)〜(44)と対向する位置に、各キートップ(44)に１つずつ対応して配設されている。具体的には図６に示す様に、基板(５)の表面には１５個のドームスイッチ(51)〜(51)が配設されており、該１５個のドームスイッチ(51)〜(51)は、それぞれが１５個のキートップ(44)〜(44)と対向する様に、５行×３列に配列されている。
【００２８】
図５に示す様に、ラバーシート(46)の裏面には複数の突起部(47)が形成されている。スライド式携帯電話機の組立て状態においては、各突起部(47)は、互いに対向するキートップ(44)とドームスイッチ(51)との間に介在して、キートップ(44)に加えられた押圧力をドームスイッチ(51)に伝達する伝達部として機能する。従って、各キートップ(44)を押圧することにより、該キートップ(44)に対応するドームスイッチ(51)がオン状態に設定される。
【００２９】
図４に示す様に、基板(５)の表面には、キートップ(44)〜(44)の背部を照明する複数のＬＥＤ(52)〜(52)が、ラバーシート(46)の裏面に向けて搭載されている。具体的には図６に示す様に、基板(５)の表面には、８個のＬＥＤ(52)〜(52)が搭載されており、該８個のＬＥＤ(52)〜(52)は、４個ずつが第１キャビネット(１)の長手方向に一列に並べられて、４行×２列に配列されている。そして、ＬＥＤ(52)〜(52)から成る２つの列は、ドームスイッチ(51)〜(51)から成る３つの列の間に１つずつ配置されている。
【００３０】
図４に示す様に、基板(５)の表面には更に、キートップ(41)側から入射する光を反射することが可能な光反射シート(53)が貼着されている。ここで、光反射シート(53)は、ＬＥＤ(52)〜(52)の搭載領域とは異なる領域を覆っている。従って、各ＬＥＤ(52)から発せられた光は、光反射シート(53)によって遮断させることがない。
【００３１】
基板(５)とラバーシート(46)との間には、第２ＰＥＴシート(６)が介在している。スライド式携帯電話機の組立て状態においては、図７に示す様に、第２ＰＥＴシート(６)は、複数のドームスイッチ(51)〜(51)と複数のＬＥＤ(52)〜(52)とを覆って配備される。ここで第２ＰＥＴシート(６)は、高い光透過性を有するＰＥＴ材から形成されている。
【００３２】
図４に示す様に、第２ＰＥＴシート(６)の左右両縁部には複数のスリット(61)〜(61)が形成されている。具体的には図７に示す様に、第２ＰＥＴシート(６)の縁部の複数箇所を、列を成す４つのＬＥＤ(52)〜(52)の配列方向に対して略垂直な方向にカットすることにより、複数のスリット(61)〜(61)が形成されている。従って、各スリット(61)は、列を成す４つのＬＥＤ(52)〜(52)の配列方向に対して略垂直な方向に延びている。
【００３３】
図４に示す様に、第２ＰＥＴシート(６)のラバーシート(46)側の表面には、２枚の矩形状の第３ＰＥＴシート(７)(７)が貼着されている。具体的には図７に示す様に、各第３ＰＥＴシート(７)は、第２ＰＥＴシート(６)の表面の内、列を成す４つのＬＥＤ(52)〜(52)を全て覆う領域に貼着されている。
【００３４】
各第３ＰＥＴシート(７)は、白色に着色されたＰＥＴ材から形成されている。従って、ＬＥＤ(52)からの光が第３ＰＥＴシート(７)に入射した場合、該光の一部が第３ＰＥＴシート(７)によって反射され、残りの光は、第３ＰＥＴシート(７)に吸収され或いは第３ＰＥＴシート(７)を通過することになる。よって、第３ＰＥＴシート(７)は、ＬＥＤ(52)〜(52)からの光の一部を反射する光反射層として機能する。
【００３５】
上記スライド式携帯電話機においては、ＬＥＤ(52)から発せられた光は、図９において一点鎖線矢印Ｌ１〜Ｌ３によって示す様に、第２ＰＥＴシート(６)を通過した後、その一部が第３ＰＥＴシート(７)により反射され、残りの光が第３ＰＥＴシート(７)又はその周囲を通過することになる。ここで、一点鎖線矢印Ｌ３によって示す様に、反射された光の一部は、第２ＰＥＴシート(６)内を通過して該第２ＰＥＴシート(６)の縁部まで伝播し、該第２ＰＥＴシート(６)の側端面にて拡散される。
【００３６】
従って、第３ＰＥＴシート(７)又はその周囲を通過した光（一点鎖線矢印Ｌ１）により、ＬＥＤ(52)の近傍位置に配置されているキートップ(44)の背部が照明され、第２ＰＥＴシート(６)の側端面にて拡散された光（一点鎖線矢印Ｌ３）により、第２ＰＥＴシート(６)の側端面近傍に配置されているキートップ(44)の背部が照明されることになる。よって、複数のキートップ(44)〜(44)の背部全体が、ＬＥＤ(52)により照明されることになる。
【００３７】
又、一点鎖線矢印Ｌ２によって示す様に、第３ＰＥＴシート(７)により反射された光の内、第２ＰＥＴシート(６)内を伝播せずに第２ＰＥＴシート(６)から漏れた光は、光反射シート(53)により反射されてキートップ(44)の背部に導かれることになる。よって、上記スライド式携帯電話機は、ＬＥＤ(52)による照明効率が高い。
【００３８】
上記スライド式携帯電話機においては、第２ＰＥＴシート(６)の縁部に複数のスリット(61)〜(61)が形成されている。従って、第２ＰＥＴシート(６)の側端面の面積が、各スリット(61)を構成する内面（縁部をカットすることにより形成された面）の分だけ増大することになる。このため、一点鎖線矢印Ｌ３によって示す様に、第２ＰＥＴシート(６)内を通過して該第２ＰＥＴシート(６)の縁部に導かれた光は、第２ＰＥＴシート(６)の側端面にて拡散され易く、従ってキートップ(44)の背部に導かれ易くなる。よって、上記スライド式携帯電話機は、ＬＥＤ(52)による照明効率が高い。
【００３９】
更に、上記スライド式携帯電話機においては、複数のＬＥＤ(52)〜(52)を覆って第２ＰＥＴシート(６)を配備することが出来るので、基板(５)の表面の様々な位置にＬＥＤ(52)〜(52)を搭載することが可能である。よって、導光シートを具えていてＬＥＤ等の発光素子の位置が導光シートの側端面側に限定される従来の携帯電話機に比べて、本実施形態に係るスライド式携帯電話機は、基板(５)の面積を小さくしてスライド式携帯電話機を小型化することが可能である。
【００４０】
尚、本発明の各部構成は上記実施の形態に限らず、特許請求の範囲に記載の技術的範囲内で種々の変形が可能である。
例えば、上記スライド式携帯電話機において、ドームスイッチ(51)に替えて種々のスイッチを採用することが出来る。キートップ(44)は、シートキー(41)に形成されたものに限定されるものではない。更に、上記スライド式携帯電話機において、ＬＥＤ(52)に替えて種々の発光素子を採用することが出来る。
【００４１】
又、スリット(61)の形状及び配置は、上記実施形態に限定されるものでなく、様々な形状及び配置が可能である。例えば、スリット(61)は、第２ＰＥＴシート(６)に開設又は凹設されていてもよい。
【００４２】
更に、上記スライド式携帯電話機において、第３ＰＥＴシート(７)(７)を設けない構成を採用することが可能である。又、上記スライド式携帯電話機に採用した各種構成は、携帯電話機に限らず、キートップを照明することが可能な種々の電子機器に適用することが出来る。
【符号の説明】
【００４３】
(44)  キートップ
(５)  基板
(51)  ドームスイッチ
(52)  ＬＥＤ（発光素子）
(53)  光反射シート（第２の光反射層）
(６)  第２ＰＥＴシート（光透過性シート）
(61)  スリット
(７)  第３ＰＥＴシート（光反射層）
【図１】
0005466909.tif 000002
【図２】
0005466909.tif 000003
【図３】
0005466909.tif 000004
【図４】
0005466909.tif 000005
【図５】
0005466909.tif 000006
【図６】
0005466909.tif 000007
【図７】
0005466909.tif 000008
【図８】
0005466909.tif 000009
【図９】
0005466909.tif 000010